(57)【要約】【課題】受取人において興味が持続するような手段をカード本体に付加して絵本や新製品、新作映画等の広告宣伝効果の向上を図ることができると共に、頗る興趣に富んだマスコット付グリーティングカードを提供する。【解決手段】郵送を可能とする宛て名表示部２及び郵券貼付部３を有するカード本体１の裏面に、折り曲げるとキャラクター５類が起き上がるポップアップ手段４を付設すると共に、マスコット６を取り外し自在に付設する。当該カード本体１の一側縁に切り取り線１０を介して付属シート９を連設し、当該付属シート９の周縁部に付設した耳片１１によって、付属シート９とカード本体１を重ね合わせることができるようになした。【選択図】図１
0003104004.tif 000002
【実用新案登録請求の範囲】
【請求項１】
郵送を可能とする宛て名表示部及び郵券貼付部を有するカード本体の裏面に、折り曲げるとキャラクター類が起き上がるポップアップ手段を付設すると共に、マスコットを取り外し自在に設け、且つ当該カード本体の任意の一側縁に折れ線又は切り取り線を介して前記マスコットないしポップアップキャラクターに関連する宣伝コピーや絵柄類を印刷表示した付属シートを連設し、当該付属シートの周縁部に折れ線を介して付設した耳片によって、付属シートとカード本体を重ね合わせることができるようになしたことを特徴とするマスコット付グリーティングカード。
【請求項２】
カード本体の裏面に設けた取り外し自在なマスコットは、透明カプセル内に封入されており、当該透明カプセルの周縁鍔部がカード本体の裏面適所に接着または融着されていて、且つカード本体に重ね合わされる付属シートに、前記透明カプセルを挿通させ得る大きさの通孔を開設してなる請求項１記載のマスコット付グリーティングカード。
【考案の詳細な説明】
【技術分野】
【０００１】
本考案は、絵本や新製品、新作映画等の広告宣伝効果の向上を図ることができると共に、興趣に富んだマスコット付グリーティングカードに関するものである。
【背景技術】
【０００２】
従来、ハガキのようなカード本体内部に物品を収容することのできる収容部を形成したグリーティングカードは知られている。また、下記する特許文献に開示されているように、クリスマスやバレンタインデー等において郵送ギフトとして用いることができるようにグリーティングカードを付けて郵送できるようになしたチョコレート包装体も既に知られている。
【特許文献１】特開平８−１１９３７０号公報
【考案の開示】
【考案が解決しようとする課題】
【０００３】
前記したグリーティングカードを付けて郵送できるようになしたチョコレート包装体の場合、チョコレートを流し込んだトレーと、台紙となるカードと、郵送用の封筒と、透明な袋との組合せからなり、カードに設けた切り込みにトレーの角部を差し込んで取り付け、この一体化したものと前記封筒とをセットにして透明袋に収納するようにしたものであって、カード自体には何の工夫もなされておらず、受取人においてメッセージ等を読んだ後、ないしはチョコレートを賞味した後は興味が半減するという問題点がある。
【０００４】
また、ハガキのようなカード本体内部に物品を収容することのできる収容部を形成したグリーティングカードにおいても受取人において収容部から物品を取り出した後は、特に興味を引くような要素はなく、絵本や新製品等の広告宣伝用としては余り効果を期待できるようなものではなかった。
【０００５】
そこで、本考案は受取人において受け取った後も興味が持続するような手段をカード本体に付加して絵本や新製品、新作映画等の広告宣伝効果の向上を図ることができると共に、頗る興趣に富んだマスコット付グリーティングカードを提供することを目的とするものである。
【課題を解決するための手段】
【０００６】
上記目的を達成するための本考案の構成を詳述すれば、請求項１に係る考案は、郵送を可能とする宛て名表示部及び郵券貼付部を有するカード本体の裏面に、折り曲げるとキャラクター類が起き上がるポップアップ手段を付設すると共に、マスコットを取り外し自在に設け、且つ当該カード本体の任意の一側縁に折れ線又は切り取り線を介して前記マスコットないしポップアップキャラクターに関連する宣伝コピーや絵柄類を印刷表示した付属シートを連設し、当該付属シートの周縁部に折れ線を介して付設した耳片によって、付属シートとカード本体を重ね合わせることができるようになしたことを特徴とするマスコット付グリーティングカードである。
【０００７】
また、請求項２に係る考案は、カード本体の裏面に設けた取り外し自在なマスコットは、透明カプセル内に封入されており、当該透明カプセルの周縁鍔部がカード本体の裏面適所に接着または融着されていて、且つカード本体に重ね合わされる付属シートに、前記透明カプセルを挿通させ得る大きさの通孔を開設してなる請求項１記載のマスコット付グリーティングカードである。
【０００８】
本考案は前記したように、カード本体の裏面に、折り曲げるとキャラクター類が起き上がるポップアップ手段を付加すると共に、マスコットを取り外し自在に設け、さらにカード本体の一側縁に前記マスコットないしポップアップキャラクターに関連する宣伝コピーや絵柄等を印刷表示した付属シートを連設したものであって、受取人側において、カード本体から付属シートを引き離し、カード本体を適宜折り曲げるなどしてキャラクター類を起き上がらせ、これを机上において飾っておくこと等により広告宣伝効果を持続させることができるものである。
また、透明カプセル内に封入するキャラクター関連のマスコット類にストラップを取り付けておくことにより、これを取り出して携帯端末のストラップとして使用することも可能となり、一層広告宣伝効果を向上させることができるものである。
【０００９】
なお、本考案グリーティングカードを郵送する場合には、付属シートの周縁部に付設してある耳片に粘着剤を塗布しておく等して、カード本体の周縁部に耳片を粘着させ、カード本体と付属シートを重ね合わせ一体化させた状態にして投函するものである。その際、マスコットを封入してなる透明カプセルはその周縁鍔部が付属シートによって覆われることとなるので、郵送中に脱落等する等の事故を有効に防ぐことができる。
【考案の効果】
【００１０】
本考案によれば、簡単な構造であるにもかかわらず、受取人側においてキャラクター類をポップアップさせて楽しむことができ、従来のこの種グリーティングカードの場合よりも長きに亘って興味を持続させることができる。また、透明カプセル内からマスコット類を取り出してキーホルダーや携帯端末のストラップとしても用いることができ、非常に興趣に富み、しかも広告宣伝効果の大きいグリーティングカードとなすことができる。
【考案を実施するための最良の形態】
【００１１】
以下、本考案に係るマスコット付グリーティングカードの具体的構成を図示の実施形態に基づいて詳細に説明する。
【００１２】
図１は本考案グリーティングカードの一実施形態を示す展開状態斜視図、図２は付属シートの周縁部に付設した耳片によってカード本体と重ね合わせた状態を示すカード本体表面側の平面図、図３は図２の場合における付属シート側の平面図、図４はカード本体を付属シートから切り離してポップアップさせたときの一例を示す斜視図である。
【００１３】
図中１は郵送を可能とする宛て名表示部２及び郵券貼付部３等を有するカード本体であり、４は当該カード本体１の裏面に付設した折り曲げて立体化させるとキャラクター類が起き上がるポップアップ手段である。図示する実施形態のポップアップ手段４は、カード本体１の下半分を二重構造にして、あらかじめ付設してある折れ線に沿って折り曲げて箱状態を形成することにより任意のキャラクター５等が起き上がるようになっているものであるが、ポップアップ手段４はこの実施形態のものに限定されることなく、カード本体１の裏面を使って自由にポップアップ機能を付加することができる。
【００１４】
６は前記ポップアップ手段４と併せてカード本体１の裏面に取り外し自在に設けたマスコットである。このマスコット６はカード本体１の裏面に接着、粘着、縫着等任意の手段によって直接取り付けることもできるが、郵送の際に脱落するのを防止するためと商品イメージ向上のため、図示の実施形態においては合成樹脂製の透明カプセル７内にマスコット６を封入するようにしてある。
【００１５】
すなわち、透明カプセル７は図１及び図４に示すように開口部周縁に鍔部８を形成してあり、この周縁鍔部８を、合成樹脂製薄膜を積層してあるカード本体１の裏面に融着させるか、あるいは接着する等して取り付けるものである。この場合、透明カプセル７の周縁鍔部８をカード本体１の裏面から引き剥がすことによって内部のマスコット６を取り出すことができる。
【００１６】
次に、９は前記カード本体１の任意の一側縁に折れ線又は切り取り線１０を介して連設した付属シートであり、当該付属シート９の内側および外側の適宜箇所には前記したマスコット６あるいはポップアップキャラクターに関連する宣伝文句やキャッチフレーズないし任意の絵柄等を印刷表示してある。なお、図示の実施形態においてはカード本体１の長手方向一側縁に切り取り線１０を介して付属シート９を連設してあるが、当該付属シート９は受取人において到着後はカード本体１から切り離してしまうものであるから、連設位置は必ずしも長手方向一側縁に限定されるものではなく、カード本体１の短手方向に連設するようにしてもよい。また、切り取り線ではなく、折れ線を介して連設するようにしてもよいのは勿論である。
【００１７】
１１は付属シート９の周縁部に折れ線を介して付設した耳片であり、この耳片１１には例えば粘着剤を塗布し、その上に剥離紙を貼付してあって、使用に際してはカード本体１の裏面あるいは付属シート９の内側に設けてあるメッセージ欄に受取人宛てのメッセージ等を書き込んだのち、前記剥離紙を取り除いて耳片１１をカード本体１の表面側周縁部に粘着させて、付属シート９とカード本体１を重ね合わせ、一体化させた状態で郵送するものである。
【００１８】
なお、カード本体１の裏面に付設されたマスコット６を収容する透明カプセル７はその周縁鍔部８がカード本体１の裏面に固定状態となっていると共に、付属シート９に開設してある透明カプセル７を挿通させるための通孔１２の周縁部によって抑え付けられることとなるので郵送中にマスコット６が脱離するのを防止することができる。
【００１９】
本考案グリーティングカードは以上のような構成よりなり、これを受け取った側は付属シート９の周縁部の耳片１１をカード本体１の周縁部から剥がして開封し、送り手がしたためたメッセージ類を読むことができる。そして、適宜透明カプセル７をカード本体１の裏面から外して内部のマスコット６を取り出し、携帯電話機のストラップ等として用いることができる。また、カード本体１を付属シート９から切り離して、ポップアップ手段４によってキャラクター５類を起き上がらせ、好みに応じて机上等に飾ることができる。したがって、本考案によれば、簡単な構造であるにもかかわらず、受取人側においてキャラクター類をポップアップさせて楽しむことができ、従来のこの種グリーティングカードの場合よりも長きに亘って興味を持続させることができる。また、透明カプセル内からマスコットを取り出してキーホルダーや携帯端末のストラップとしても用いることができ、非常に興趣に富み、しかも広告宣伝効果の大きいグリーティングカードを提供することができる。
【図面の簡単な説明】
【００２０】
【図１】本考案グリーティングカードの一実施形態を示す展開状態斜視図である。
【図２】付属シートの周縁部に付設した耳片によってカード本体と重ね合わせた状態を示すカード本体表面側の平面図である。
【図３】図２の場合における付属シート側の平面図である。
【図４】カード本体を付属シートから切り離してポップアップさせたときの一例を示す斜視図である。
【符号の説明】
【００２１】
１：カード本体
２：宛て名表示部
３：郵券貼付部
４：ポップアップ手段
５：キャラクター
６：マスコット
７：透明カプセル
８：周縁鍔部
９：付属シート
１０：切り取り線
１１：耳片
１２：通孔
【図１】
0003104004.tif 000003
【図２】
0003104004.tif 000004
【図３】
0003104004.tif 000005
【図４】
0003104004.tif 000006